(57)【要約】      （修正有）【課題】クレーンを使用せず、枠組み足場や単管足場上で組み立て出来る荷受けステージ及びその取付け方法を提供する。【解決手段】枠組み足場Ｔ又は単管足場の平側に張出して設けた荷受けステージＳにおいて、相対向する一対の妻側フレーム１、１と、フレーム取付け部材２、２と、上下一対の手摺取付け部材と、一対の手摺支柱５、５と、妻側フレーム１、１間に架け渡した足場板６と、妻側フレーム１、１上に配置されて枠組み足場Ｔの建材Ｕ又は単管足場の支柱と手摺支柱５、５との間に架設した妻側手摺８、８と、手摺支柱５、５間に架設した平側手摺９と、妻側フレーム１、１の下部一端が連結されるとともに他端が斜材取付け部材１１、１１を介して建材Ｕ又は支柱に着脱自在に取付けられる斜材１０、１０とを備え、妻側フレーム１、１の一端は、フレーム取付け部材２、２を介して建材Ｕ又は単管足場の支柱に対して周方向に回転自在に取り付けられる。【選択図】図１
2019094769.tif 000002
【特許請求の範囲】
【請求項１】
枠組み足場（Ｔ）又は単管足場の平側に張出して設けた荷受けステージ（Ｓ）において、
相対向する一対の妻側フレーム（１）、（１）と、上記各妻側フレーム（１）、（１）の一端に回転自在に設けたフレーム取付け部材（２）、（２）、（２Ａ）、（２Ａ）と、上記各妻側フレーム（１）、（１）の他端に設けた上下一対の手摺取付け部材（３）、（４）と、上記各手摺取付け部材（３）、（４）に取付けた一対の手摺支柱（５）、（５）と、上記各妻側フレーム（１）、（１）間に架け渡した足場板（６）と、上記各妻側フレーム（１）、（１）上方に配置されて上記枠組み足場（Ｔ）の建材（Ｕ）又は単管足場の支柱と上記各手摺支柱（５）、（５）との間にそれぞれ着脱自在に架設した妻側手摺（８）、（８）と、上記各手摺支柱（５）、（５）間に架設した平側手摺（９）と、上記各妻側フレーム（１）、（１）の下部に一端が連結されるとともに他端が斜材取付け部材（１１）、（１１）、（１１Ａ）、（１１Ａ）を介して上記建材（Ｕ）又は支柱に着脱自在に取付けられる斜材（１０）、（１０）とを備え、上記各妻側フレーム（１）、（１）の一端は、上記各フレーム取付け部材（２）、（２）を介して上記建材（Ｕ）又は単管足場の支柱に対して周方向に回転自在に取り付けられることを特徴とする荷受けステージ。
【請求項２】
上記妻側フレーム（１）は梁（１５）、（１６）を介して結合した上下一対の長尺な枠材（１２ａ）、（１２ｂ）と、上側の枠材（１２ａ）の一端にブラケット（１３）を介して結合した支持ロッド（１４）と、下側の枠材（１２ｂ）の一端に設けた断面コ字状又はＵ字状のガイド（１７）と、上記上側の枠材（１２ａ）の他端に設けた上側手摺取付け部材（３）と、上記下側の枠材（１２ｂ）の他端に設けた下側の手摺取付け部材（４）と、上記下側枠材（１２ｂ）の端部下部に設けた斜材取付け用の斜材取付け部材（２４）とから構成されている請求項１に記載の荷受けステージ。
【請求項３】
上記妻側手摺（８）と上記平側手摺（９）とはそれぞれ相対向する一対の縦桟（８０）、（８１）と、上記縦桟（８０）、（８１）間にそれぞれ架設した横桟（８２）、中桟（８３）及び巾木（Ｈ）と、上記各縦桟（８０）、（８１）の側部に張り出して設けたブラケット（８７）、（８８）と、上記横桟（８２）の両端部にそれぞれ設けたクランプ（８５）、（８６）とで構成されている請求項１又は２のいずれか一項に記載の荷受けステージ。
【請求項４】
上記フレーム取付け部材（２）が上記支持ロッド（１４）の外周と上記ガイド（１７）の内周に回転自在に挿入した回転ロッド（２５）と、上記回転ロッド（２５）の上端外周に設けたフック（２６）と、上記回転ロッド（２５）の下端部に設けた建材又は単管抱持用ブラケット（２８）と、上記抱持用ブラケット（２８）に着脱自在に挿入した楔（２８ａ）と、上記ガイド（１７）に形成した孔を介して上記回転ロッド（２５）に形成された孔に着脱自在に挿入される係止ピン（１８）とで構成されている請求項２又は請求項２を引用する請求項３のいずれか一項に記載の荷受けステージ。
【請求項５】
フレーム取付け部材（２Ａ）が上記支持ロッド（１４）の外周と上記ガイド（１７Ａ）の内周に回転自在に挿入した回転ロッド（２５Ａ）と、上記回転ロッド（２５Ａ）の上部外周に連結され上記建材（Ｕ）を抱持可能なフックプレート（４０）と、上記フックプレート（４０）の端部に設けられ上記枠組足場（Ｔ）の横架材（Ｙ）に引掛け可能な横架材用係止片（４１）と、上記回転ロッド（２５Ａ）の中間部に水平に張出して設けた断面円弧状の当て板（４３ａ）を有する中間支持部材（４３）と、上記回転ロッド（２５Ａ）の下端部に設けたプレート状の建材抱持用ブラケット（４４Ａ）と、上記抱持用ブラケット（４４Ａ）の先端部に設けられた楔挿入用リング（４４Ｂ）と、上記楔挿入用リング（４４Ｂ）内に着脱自在に挿入した楔（４５）と、上記ガイド（１７Ａ）に形成した孔を介して上記回転ロッド（２５Ａ）に形成された孔（２５Ｂ）に着脱自在に挿入される係止ピン（１８Ａ）とで構成されている請求項２又は請求項２を引用する請求項３のいずれか一項に記載の荷受けステージ。
【請求項６】
上記上側手摺取付け部材（３）が上記上側の枠材（１２ａ）の端部に取付けた筒体（２０）と、上記筒体（２０）に設けられて当該筒体（２０）に形成した孔から上記手摺支柱（５）に着脱自在に挿入する係止ピン（２１）とで構成され、上記下側手摺取付け部材（４）が上記下側枠材（１２ｂ）の端部に設けたソケット（２３）で構成されている請求項２、３、４又は５のいずれか一項に記載の荷受けステージ。
【請求項７】
上記手摺支柱（５）が上記手摺取付け部材（３）、（４）に回転自在に挿入したパイプ支柱（３０）と、上記パイプ支柱（３０）の上部に挿入して固定されたガイドロッド（３１）と、上記ガイドロッド（３１）の外周に回転自在に挿入した筒体（３２）と、上記ガイドロッド（３１）の上端に固定したストッパ（３３）とで構成され、上記筒体（３２）の外周上部に上記妻側手摺（８）と上記平側手摺（９）における各クランプ（８５）、（８６）を取付けている請求項３、４、５又は６のいずれか一項に記載の荷受けステージ。
【請求項８】
枠組み足場（Ｔ）又は単管足場の平側に張出して設けた荷受けステージ（Ｓ）の取付け方法において、
上記荷受けステージ（Ｓ）が、相対向する一対の妻側フレーム（１）、（１）と、上記各妻側フレーム（１）、（１）の一端に回転自在に設けたフレーム取付け部材（２）、（２）、（２Ａ）、（２Ａ）と、上記各妻側フレーム（１）、（１）の他端に設けた上下一対の手摺取付け部材（３）、（４）と、上記各手摺取付け部材（３）、（４）に取付けた一対の手摺支柱（５）、（５）と、上記各妻側フレーム（１）、（１）間に架け渡された足場板（６）と、上記各妻側フレーム（１）、（１）上方に配置されて上記枠組み足場（Ｔ）の建材（Ｕ）又は単管足場の支柱と上記各手摺支柱（５）、（５）との間にそれぞれ着脱自在に架設した妻側手摺（８）、（８）と、上記各手摺支柱（５）、（５）間に架設した平側手摺（９）と、上記妻側フレーム（１）、（１）の下部に一端が連結されるとともに他端が斜材取付け部材（１１）、（１１）、（１１Ａ）、（１１Ａ）を介して上記建材（Ｕ）又は支柱に着脱自在に取付けられる斜材（１０）、（１０）とで構成されており、
上記枠組み足場（Ｔ）又は単管足場の平側に上記各妻側フレーム（１）、（１）を配置し、次いで当該各妻側フレーム（１）、（１）の一端を上記各フレーム取付け部材（２）、（２Ａ）を介して枠組み足場の建材（Ｕ）又は単管足場の支柱に回転自在に取付ける工程と、
上記斜材（１０）を上記各斜材取付け部材（１１）、（１１Ａ）を介して上記建材（Ｕ）又は支柱に取付ける工程と、
妻側フレーム（１）に手摺取付け部材（３）、（４）を介して手摺支柱（５）を取付けるとともに上記妻側手摺（８）の両端をそれぞれ上記建材（Ｕ）又は支柱と上記手摺支柱（５）とに取付ける工程と、
上記各妻側フレーム（１）、（１）をそれぞれ上記建材（Ｕ）又は支柱を中心にして平側から妻側に９０度回転させる工程と、
妻側に向きを変えた対向する一対の妻側フレーム（１）、（１）間に足場板（６）を架設する工程と、
上記足場板（６）上で上記平側手摺（９）の両側を上記対向する一対の上記各手摺支柱（５）、（５）間に架設させる工程と、
からなる荷受けステージの取付け方法。
【発明の詳細な説明】
【技術分野】
【０００１】
本発明は、荷受けステージ及びその取付け方法に関し、特に枠組み足場又は単管足場の平側（正面側）に張出して設ける荷受けステージと、この荷受けステージを上記足場に取付ける取付け方法に関するものである。
【背景技術】
【０００２】
一般に、ビルディング等の建築物の建築、解体、修理又は橋梁等の構築物の構築、解体、修理時には建築物又は構築物の工事現場に枠組み足場又は単管足場を設置し、これらの足場を利用して作業者が諸作業を行っている。
【０００３】
そして、この作業を行う場合、特に高所作業を行う場合、建築資材、構築資材等を枠組み足場や単管足場にその都度搬送するのは困難であり、搬送時間もかかるので、予め枠組み足場又は単管足場の平側に荷受けステージを張出して設け、この荷受けステージに資材、工具等を一時的にまとめて置いておき、必要に応じてこれらの資材等を枠組み足場又は単管足場に運び込むようにしているのが普通である。
【０００４】
この場合、荷受けステージを枠組み足場又は単管足場に設置するには、例えば特許文献１に示すように、予め地上で荷受けステージを組立てておき、次いでこの荷受けステージをクレーンで吊り上げて枠組み足場の平側に搬送し、更にこの荷受けステージを吊り下げた状態でこの荷受けステージに設けた取付け金具を枠組み足場の建枠に取付け、また荷受けステージの下部に設けた斜材を建枠の建材に結合して行う。
【先行技術文献】
【特許文献】
【０００５】
【特許文献１】特開平１１−１４８２２５号公報
【発明の概要】
【発明が解決しようとする課題】
【０００６】
しかしながら、上記した特許文献１に示す荷受けステージとその取付け方法では機能上欠陥があるわけでは無いが、次のような不具合の改善が望まれている。
【０００７】
すなわち、荷受けステージを枠組み足場の平側に搬送する場合はクレーンで吊り下げて行うので、建築現場、構築現場にクレーンを設置する必要があるため、設備費が高額となり、クレーンの搬送、設置作業も困難である。
【０００８】
さらに、荷受けステージを吊り下げた状態で作業者が枠組み足場側から取付け金具の取付け作業や斜材の取付け作業を行うので作業が困難であり、熟練を要する。
【０００９】
そこで、本発明の目的は、クレーンを使用せず、枠組み足場や単管足場上で組み立て出来る荷受けステージ及びその取付け方法を提供することである。
【課題を解決するための手段】
【００１０】
上記の目的を達成するため、本発明の荷受けステージの手段は、枠組み足場又は単管足場の平側に張出して設けた荷受けステージにおいて、相対向する一対の妻側フレームと、上記各妻側フレームの一端に回転自在に設けたフレーム取付け部材と、上記各妻側フレームの他端に設けた上下一対の手摺取付け部材と、上記各手摺取付け部材に取付けた一対の手摺支柱と、上記各妻側フレーム間に架け渡した足場板と、上記各妻側フレーム上に配置されて上記枠組み足場の建材又は単管足場の支柱と上記各手摺支柱との間にそれぞれ着脱自在に架設した妻側手摺と、上記各手摺支柱間に架設した平側手摺と、上記各妻側フレームの下部に一端が連結されるとともに他端が斜材取付け部材を介して上記建材又は支柱に着脱自在に取付けられる斜材とを備え、上記各妻側フレームの一端は、上記各フレーム取付け部材を介して上記建材又は単管足場の支柱に対して周方向に回転自在に取り付けられることを特徴とするものである。
【００１１】
同じく、荷受けステージの取付け方法は、上記荷受けステージが、相対向する一対の妻側フレームと、上記各妻側フレームの一端に回転自在に設けたフレーム取付け部材と、上記各妻側フレームの他端に設けた上下一対の手摺取付け部材と、上記各手摺取付け部材に取付けた一対の手摺支柱と、上記各妻側フレーム間に架け渡された足場板と、上記各妻側フレーム上方に配置されて上記枠組み足場の建材又は単管足場の支柱と上記各手摺支柱との間にそれぞれ着脱自在に架設した妻側手摺と、上記各手摺支柱間に架設した平側手摺と、上記妻側フレームの下部に一端が連結されるとともに他端が斜材取付け部材を介して上記建材（Ｕ）又は支柱に着脱自在に取付けられる斜材とで構成されており、上記枠組み足場又は単管足場の平側に上記各妻側フレームを配置し、次いで当該各妻側フレームの一端を上記各フレーム取付け部材を介して枠組み足場の建材又は単管足場の支柱に回転自在に取付ける工程と、上記斜材を上記各斜材取付け部材を介して上記建材又は支柱に取付ける工程と、上記妻側手摺の両端をそれぞれ上記建材又は支柱と上記手摺支柱とに取付ける工程と、上記各妻側フレームをそれぞれ上記建材又は支柱を中心にして平側から妻側に９０度回転させる工程と、妻側に向きを変えた対向する一対の妻側フレーム間に足場板を架設する工程と、上記足場板上で上記平側手摺の両側を上記対向する一対の上記各手摺支柱間に架設させる工程とからなることを特徴とするものである。
【発明の効果】
【００１２】
各請求項の発明によれば、一対の妻側フレームを予め枠組み足場の建材又は単管足場の支柱に予め回転自在に取付けて平側に配置しておき、次いでこの妻側フレームに妻側手摺取付けた状態で平側から妻側に回転させ、この状態からこの妻側フレームを利用して足場板、平側手摺を順次組み付けできるので、クレーン等を利用することなく枠組み足場側又は単管足場側で荷受けステージを設置できる。
【００１３】
その為クレーン等をその都度用意する必要が無く作業性、経済性の向上を図れる。
【図面の簡単な説明】
【００１４】
【図１】枠組み足場の平側に一実施の形態に係る荷受けステージを設置した状態の斜視図である。
【図２】枠組み足場に設置した一実施の形態に係る荷受けステージの妻側側面図である。
【図３】枠組み足場に設置した一実施の形態に係る荷受けステージの平側正面図である。
【図４】（Ａ）は一実施の形態に係る荷受けステージにおける妻側フレームの平面図であり、（Ｂ）は同側面図である。
【図５】（Ａ）はフレーム取付け部材と手摺取付け部材とを取付けた状態の一実施の形態に係る荷受けステージにおける妻側フレームの平面図であり、（Ｂ）は同側面図である。
【図６】一実施の形態に係る荷受けステージにおける妻側フレームの一端に設けたフレーム取付け部材の一部切欠き拡大側面図である。
【図７】（Ａ）は図６のＡ−Ａ線から見た平面図であり、（Ｂ）は同Ｂ−Ｂ線横断平面図である。
【図８】（Ａ）は一実施の形態に係る荷受けステージにおける手摺取付け部材とこの手摺取付け部材に取付けた手摺支柱の一部縦断拡大側面図であり、（Ｂ）はＡ−Ａ線から見た断面図である。
【図９】手摺支柱の分解側面図である。
【図１０】（Ａ）は一実施の形態に係る荷受けステージにおける斜材の一部切欠き拡大側面図であり、（Ｂ）は同平面図である。
【図１１】（Ａ）は一実施の形態に係る荷受けステージにおける妻側フレームの下部に設けた上側斜材取付け部材の拡大側面図であり、（Ｂ）は同正面図である。
【図１２】（Ａ）は巾木の平面図であり、（Ｂ）は妻側手摺における上側横桟の平面図であり、（Ｃ）は妻側手摺の拡大側面図である。
【図１３】枠組み足場の平側に取付けた一実施の形態に係る荷受けステージにおける妻側フレームと妻側手摺とを平側から妻側に回転させている状態を示す斜視図である。
【図１４】枠組み足場に一実施の形態に係る荷受けステージにおける妻側フレームと妻側手摺とを妻側に向けた状態の斜視図である。
【図１５】（Ａ）から（Ｅ）は一実施の形態に係る荷受けステージの取付け工程を示す工程図である。
【図１６】枠組み足場に設置した他の実施の形態に係る荷受けステージの妻側側面図である。
【図１７】他の実施の形態に係る荷受けステージにおけるフレーム取付け部材の取付け状態を示す一部拡大斜視図である。
【図１８】他の実施の形態に係る荷受けステージにおける下側斜材取付け部材の取付け状態を示す一部拡大斜視図である。
【図１９】（Ａ）は他の実施の形態に係る荷受けステージにおける妻側フレームの平面図であり、（Ｂ）は同側面図である。
【図２０】（Ａ）は他の実施の形態に係る荷受けステージにおけるフレーム取付け部材の拡大側面図であり、（Ｂ）は同背面図であり、（Ｃ）は同正面図であり、（Ｄ）は同Ａ−Ａ線平面図であり、（Ｅ）はＢ−Ｂ線断面図であり、（Ｆ）はＣ−Ｃ線断面図である。
【図２１】（Ａ）は斜材の拡大側面図であり、（Ｂ）は同平面図である。
【図２２】（Ａ）は他の実施の形態に係る荷受けステージにおける下側斜材取付け部材の拡大側面図であり、（Ｂ）は同平面図であり、（Ｃ）は同底面図である。
【発明を実施するための形態】
【００１５】
本発明は、荷受けステージ及びその取付け方法に関する。この荷受けステージは図１〜図１５に示す一実施の形態に係る荷受けステージと、図１６〜図２２に示す他の実施の形態に係る荷受けステージがあるが、両者の基本形態、作用効果は同じである。
【００１６】
すなわち、両者は後述するように、図２に示すフレーム取付け部材２と斜材取付け部材１１の構造が図１６に示すフレーム取付け部材２Ａと斜材取付け部材１１Ａの構造とは異なっているがその他の構造は同じである。
【００１７】
以下詳細に説明する。一実施の形態に係る荷受けステージＳは図１、図２に示すように、枠組み足場Ｔの平側（正面側）に張出して設けられ、ビルディング等の建築物の建築、解体、修理又は橋梁等の構築物の構築、解体、修理等の高所作業を行う場合、資材、工具等を一時的にまとめて置いておき、必要に応じてこれらの資材等を枠組み足場に運び込むようにするものである。なお、足場としては、単管を組み付けた単管足場であっても良い。
【００１８】
枠組み足場Ｔは公知のように、建材Ｕを起立した複数の建枠Ｖと、各建枠Ｖ間に架設した足場板Ｗと、各建枠Ｖ間に架設した手摺及びブレース等で構成されている。
【００１９】
本発明の一実施の形態に係る荷受けステージＳはこの枠組み足場Ｔの平側に配置されているが、他の足場、例えば単管を組み合わせて単管足場に取付けられても良い。
【００２０】
本発明の一実施の形態に係る荷受けステージＳは、図１、図２に示すように、枠組み足場Ｔの平側に張出して設けられるものである。但し、工事現場によっては、枠組み足場１の妻側に設けることも可能である。
【００２１】
この荷受けステージＳは図１〜図３に示すように、相対向する一対の妻側フレーム１、１と、各妻側フレーム１、１の一端に回転自在に設けたフレーム取付け部材２と、各妻側フレーム１、１の他端に設けた上下一対の手摺取付け部材３、４と、手摺取付け部材３、４に取付けた手摺支柱５、５と、各妻側フレーム１、１間に架け渡した足場板６と、各妻側フレーム１、１の上方に配置されて枠組み足場Ｔの建材Ｕと手摺支柱５との間にそれぞれ着脱自在に架設した妻側手摺８、８と、各手摺支柱５、５間に架設した平側手摺９、９と、妻側フレーム１の下部に一端が連結されるとともに他端が斜材取付け部材１１、１１を介して上記建材Ｕ又は支柱に着脱自在に取付けられる斜材１０、１０とを備えている。
【００２２】
妻側手摺８と平側手摺９は、同じ構造に形成されており、具体的には、図３、図１２に示すように、それぞれ相対向する一対の縦桟８０、８１と、各縦桟８０、８１の上端同士に架設された横桟８２と、各縦桟８０，８１の中間部同士に架設された中桟８３と、各縦桟８０、８１の下端同士に架設された巾木Ｈとを備える。また、符示しないが横桟８２、中桟８３、巾木Ｈは、それぞれアウターと、当該アウター内をスライド自在なインナーを有しており、インナーとアウターとを相対的にスライドさせることで、妻側手摺８及び平側手摺９の幅方向長さを任意の長さに伸縮できる。
【００２３】
また、本実施の形態に係る妻側手摺８及び平側手摺９は、横桟８２の図１２中右端と、図１２中左側の縦桟８０の上端に、それぞれ外側幅方向である側方に張り出すクランプ８５、８６を備えている。そして、妻側手摺８及び平側手摺９は、各縦桟８０，８１の下端にも、それぞれ外側幅方向である側方に張り出すブラケット８７，８８を備えている。なお、本例では、図中右側のクランプ８６は、横桟８２に設けられているが、右側の縦桟８１の上端に設けられてもよい。
【００２４】
荷受けステージＳの平側長さを長くする場合は平側手摺９の長さを妻側手摺８に比べて長くしても良いが、予め両者を同じ長さで同じ構造に成形しておいて、平側の長さを長くしたい場合は図１、図３に示すように中間にもう一つの中間妻側フレーム１と中間手摺支柱５を設け、この中間妻側フレーム１の両側にそれぞれ二組の平側手摺９、９を組み付けておけば良い。
【００２５】
妻側フレーム１は、図４に示すように、複数の梁１５、１６を介して結合した上下一対の長尺な枠材１２ａ、１２ｂと、上側の枠材１２ａの一端にブラケット１３を介して結合されて鉛直下方向を向く支持ロッド１４と、下側の枠材１２ｂの一端に設けた断面コ字状又はＵ字状のガイド１７と上側枠材１２ａの他端に設けた上側手摺取付け部材３と、下側の枠材１２ｂの他端に設けた下側の手摺取付け部材４と、下側の枠材１２ｂの手摺取付け部材側である他端側下部に設けた斜材取付け用の上側斜材取付け部材２４とから構成されている。
【００２６】
上側手摺取付け部材３は、図８に示すように、上側の枠材１２ａの端部に取付けられ径方向に内外を連通する孔を有する筒体２０と、筒体２０に設けられ係止ピン２１を筒体２０の上記孔に挿入可能に保持するピンホルダ２２とを備える。
【００２７】
下側手摺取付け部材４は、同じく図８に示すように、下側の枠材１２ｂの端部に設けた有底筒状のソケット２３で構成されている。また、ソケット２３の底部には開口部が設けられており、雨が降ったとしても雨水が溜まらないようになっている。
【００２８】
手摺支柱５は、図８、図９に示すように、手摺取付け部材３、４に回転自在に挿入可能であって径方向に内外を連通する孔３０ａを有するパイプ支柱３０と、パイプ支柱３０の上部に挿入して固定されたガイドロッド３１と、ガイドロッド３１の外周に回転自在に挿入された筒体３２と、ガイドロッド３１の上端にボルト３５を介して固定されたストッパ３３とで構成されている。
【００２９】
そして、手摺支柱５を取り付ける際には、まず、ソケット２３と筒体２０に手摺支柱５の下端を挿入するとともに手摺支柱５の孔３０ａと筒体２０に形成された孔を対向させた状態で係止ピン２１を挿入して、手摺支柱５を抜け止めする。次に、手摺支柱５の中間部を妻側手摺８に設けられたブラケット８８で保持させて、手摺支柱５の上端を妻側手摺８に設けられたクランプ８６で保持させるようにして、手摺支柱５を取り付ける。なお、上側手摺取付け部材３と下側手摺取付け部材４は、手摺支柱５を保持できるようになっていればよく、本実施の形態の構成には限定されない。
【００３０】
フレーム取付け部材２は、図５、図６、図７の一実施の形態に示すように、筒状であって図中上側開口から支持ロッド１４が挿入されるとともに下端がガイド１７の内側に挿入されて妻側フレーム１を周方向回転自在に支持する回転ロッド２５と、回転ロッド２５の上端外周に設けられて内周に係止片２６aを備えたフック２６と、回転ロッド２５の下端外周から延びる腕部２９と腕部２９の先端に設けられる建材抱持用ブラケット２８と、抱持用ブラケット２８の端部に開孔された開口部２８ｂに着脱自在に挿入される楔２８ａと、ガイド１７に形成された孔を介して回転ロッド２５に形成された孔に着脱自在に挿入される係止ピン１８と、ガイド１７に設けられ係止ピン１８を保持するピンホルダ１９で構成されている。
【００３１】
斜材１０は、ロッド状であって、図１、図２に示すように、上側斜材取付け部材２４と下側斜材取付け部材１１を介して、妻側フレーム１の手摺取付部材側下部と枠組み足場Ｔの建材Ｕとの間に着脱自在に取付けられ、荷受けステージＳを下方から支えてその転倒を防止している。
【００３２】
具体的には、斜材１０は、図１０に示すように、支柱１０Ａと、支柱１０Ａの一端に設けられ互いに対向するポートＢ３を有する一対のプレートＢ１、Ｂ１と各プレートＢ１、Ｂ１のポートＢ３よりも支柱１０Ａ側に架け渡される連結プレートＢ２とを有するブラケットＢと、支柱１０Ａの他端にヒンジＪを介して回転自在に連結される公知構造のクランプＫとを備える。
【００３３】
斜材取付け部材２４は、図１１に示すように、Ｕ字状の金具２４Ａを備える。金具２４Ａの各側片には、側片の延長方向に沿って並んだ２つの孔２４Ｄ，２４Ｅが形成されており、側片に形成された孔２４Ｄと孔２４Ｅは、それぞれ対向する側片に形成された孔２４Ｄと孔２４Ｅに対向しており、図１１（Ｂ）に示すように、孔２４Ｄにはボルト２４Ｂが、孔２４Ｅにはストッパピン２４Ｃがそれぞれ挿入される。また、金具２４Ａの底片には図示しない孔が形成されており、当該底片を妻側フレーム１の下側の枠材１２ｂの下面に当接させた状態で、底片に形成された孔と枠材１２ｂに形成された孔に取付けボルト２４Ｆを挿通してナットを締めることで、金具２４Ａは下側の枠材１２ｂの下面に固定されている。
【００３４】
そして、斜材１０のブラケットＢに設けられたポートＢ３と、斜材取付け部材２４の金具２４Ａの側片に形成された孔２４Ｄを対向させた状態で、ボルト２４Ｂを挿入することで、斜材１０の一端が上側斜材取付け部材２４を介して妻側フレーム１の下部に連結される。この際、ストッパピン２４ＣがプレートＢ１に当接するため、斜材１０が妻側フレーム１から離間する方向へ回転しないようになっている。
【００３５】
また、一実施の形態では、下側斜材取付け部材１１は、支柱Ａの他端に設けられたヒンジＪとクランプＫとで構成されている。そして、斜材１０の一端を上側斜材取付け部材２４を介して妻側フレーム１の下部に連結し、斜材１０の他端をクランプＫを介して枠組み足場Ｔの建材Ｕに締結することで、斜材１０は、妻側フレーム１の下部と枠組み足場Ｔの建材Ｕとの間に介装される。
【００３６】
荷受けステージＳでは、図１３に示すように、枠組み足場Ｔの平側（正面側）に予め一対の妻側フレーム１、１を対向して配置し、各妻側フレーム１、１を枠組み足場Ｔの建材Ｕにフレーム取付け部材２を介してそれぞれ取付けておき、次いで図１４に示すように各妻側フレーム１、１の上方に妻側手摺８をそれぞれ取付けた状態で９０度回転させて妻側に向きを変えられる。
【００３７】
さらに、この状態で、各妻側フレーム１、１間に足場板６を架設することで、この足場板６の上に乗って平側手摺９を組み付けることができるようになっている。
【００３８】
続いて、本発明の一実施の形態に係る荷受けステージＳの取付け方法について、第１〜６の工程に分けて説明する。
【００３９】
荷受けステージＳの取付方法は、枠組み足場Ｔの平側に各妻側フレーム１、１を配置し、次いで当該各妻側フレーム１、１の一端をフレーム取付け部材２を介して枠組み足場の建材Ｕに対して周方向に回転自在に取付ける工程（第１工程）と、斜材１０の一端を妻側フレーム１の下部に連結するとともに斜材１０の他端を建材Ｕに取付ける工程（第２工程）と、妻側フレーム１に手摺取付け部材３、４を介して手摺支柱５を取付けるとともに妻側手摺８の両端をそれぞれ建材Ｕと手摺支柱５とに取付ける工程(第３工程)と、各妻側フレーム１、１をそれぞれ上記建材Ｕを中心にして平側から妻側に９０度回転させる工程（第４工程）と、妻側に向きを変えた対向する一対の妻側フレーム１、１間に足場板６を架設する工程（第５工程）と、足場板６上で平側手摺９の両側を対向する一対の各手摺支柱５、５に架設させる工程（第６工程）と、からなる。
【００４０】
以下、上記第１〜６の工程について、図１５（Ａ）〜（Ｅ）を用いて詳細に説明する。図１５（Ａ）の平面図と正面図は第１工程を示し、第１工程では、作業者が枠組み足場Ｔの足場板Ｗ上で妻側フレーム１を枠組み足場Ｔの平側（正面側）に配置し、フレーム取付け部材２を介して妻側フレーム１を建材Ｕに取付ける。具体的には、フレーム取付け部材２のフック２６を枠組み足場Ｔの横架材Ｙに引っ掛けるとともに、図７に示すように、フック２６の内側と抱持用ブラケット２８の内方に建材Ｕを挿入し、抱持用ブラケット２８の開口部２８ｂに楔２８ａを打ち込むことで、妻側フレーム１が建材Ｕに取付けられる。
【００４１】
図１５（Ｂ）の平面図と側面図とは第２工程を示し、第２工程では、斜材１０を妻側フレーム１の下部と建材Ｕとの間に架設する。具体的には、斜材１０の図中上端である一端を上側斜材取付け部材２４を介して妻側フレーム１の反フレーム取付け部材側下部に連結し、斜材１０の図中下端である他端を下側斜材取付け部材１１を介して建材Ｕに連結する。この際、妻側フレーム１は、図１５Ｂの平面図で示すように、枠組み足場Ｔの足場板Ｗに沿って平行配置された状態であるため、作業者が身を乗り出すことなく安全に斜材１０の取付作業ができる。
【００４２】
図１５（Ｃ）の平面図と側面図とは第３工程及び第４工程を示し、第３工程では、手摺取付け部材３、４を介して、妻側フレーム１の他端側に手摺支柱５を取り付けるとともに、クランプ８５、８６とブラケット８７、８８を介して、建材Ｕと手摺支柱５との間に妻側手摺８を取り付ける。そして、第４工程では、妻側フレーム１と妻側手摺８を平側から妻側へ建材Ｕを中心にして矢印Ｘに沿って回転させる。
【００４３】
図１５（Ｄ）の平面図と側面図とは第５工程を示し、第５工程では、それぞれ妻側に向けた一対の対向する妻側フレーム１、１間に足場板６を架設する。
【００４４】
第６工程では、作業者が足場板６に乗って、隣り合う手摺支柱５、５間に平側手摺９を架設させる。そして、妻側手摺８の下側と、平側手摺９の下側にそれぞれ巾木Ｈを設けることで、図１５（Ｅ）の側面図に示すように、荷受けステージＳが、枠組み足場Ｔの平側に取付けられる。
【００４５】
このように、本発明の荷受けステージとその取付け方法によれば、一対の妻側フレーム１、１を予め枠組み足場Ｔの建材Ｕ又は単管足場の支柱に予め回転自在に取付けて平側に配置しておき、次いでこの妻側フレーム１に斜材１０と妻側手摺８を取付けた状態で平側から妻側に回転させ、この状態からこの妻側フレーム１を利用して足場板６、平側手摺９を順次組み付けできるので、クレーン等を利用することなく枠組み足場側又は単管足場側から安全に荷受けステージを設置できる。
【００４６】
次に本発明の他の実施の形態に係る荷受けステージＳＡを図１６〜図２２に基づいて説明する。他の実施の形態に係る荷受けステージＳＡは、フレーム取付け部材２Ａと下側斜材取付け部材１１Ａの構造について、上記した一実施の形態に係るフレーム取付け部材２と下側斜材取付け部材１１の構造から変更を加えている。ここでは上述した一実施の形態に係る荷受けステージＳとの異なる点を中心に説明し、同様の機能を有する構成には同一の符号を付して説明を省略する。
【００４７】
他の実施の形態に係る妻側フレーム１も、図４に示すものと構成は、ほぼ同じであり、図１９に示すように、上下一対の長尺な枠材１２ａ、１２ｂと、上側の枠材１２ａの一端にブラケット１３を介して結合され枠材１２ａに対して鉛直下方を向く支持ロッド１４と、下側の枠材１２ｂの一端上側に設けた断面コ字状又はＵ字状のガイド１７Ａと、上側枠材１２ａの他端に設けた上側手摺取付け部材３と、下側の枠材１２ｂの他端に設けた下側の手摺取付け部材４と、下側枠材１２ｂの手摺取付け部材側である他端側下部に設けた斜材取付け用の上側斜材取付け部材２４とから構成されている。
【００４８】
他の実施の形態に係るフレーム取付け部材２Ａは、図１７、図１９に示すように、筒状であって図中上側開口から支持ロッド１４が挿入されるとともに下端がガイド１７Ａの内側に挿入されて妻側フレーム１を周方向回転自在に支持する回転ロッド２５Ａと、回転ロッド２５Ａの上部外周に連結され建材Ｕを抱持可能なフックプレート４０と、フックプレート４０の先端に設けられ枠組み足場Ｔの横架材Ｙに引掛け可能な横架材用係止片４１と、回転ロッド２５Ａの中間部に水平に張出して設けた断面円弧状の当て板４３ａを有する中間支持部材４３と、回転ロッド２５Ａの下端部に設けたプレート状の建材抱持用ブラケット４４Ａと、抱持用ブラケット４４Ａの先端部に設けられた楔挿入用リング４４Ｂと、楔挿入用リング４４Ｂ内に着脱自在に挿入した楔４５と、上記ガイド１７Ａに形成した孔を介して回転ロッド２５Ａに形成された孔２５Ｂに着脱自在に挿入される係止ピン１８Ａとで構成されている。
【００４９】
フックプレート４０は、図２０（Ａ）に示すように、回転ロッド２５Ａの上端外周の回転ロッド２５Ａの軸心から径方向にずれた位置から径方向に延びる延長部４０ａと、延長部４０ａの先端から延長部４０ａの延長方向に対して直交する方向に向けて延びるとともに建材Ｕの外周に沿うように湾曲した湾曲部４０ｃを有するフック部４０ｂと、延長部４０ａ上から起立する壁板４０ｄとを備えており、延長部４０ａとフック部４０ｂと壁板４０ｄの反回転ロッド側端に横架材用係止片４１が設けられている。また、係止片４１は、図２０（Ｂ）に示すように、フック状のプレートになっている。
【００５０】
中間支持部材４３は、回転ロッド２５Ａの中間部外周から径方向に突出する張出部４３ｂと、張出部４３ｂの先端に設けられ断面円弧状であって表面が建材Ｕの外周に沿うように湾曲している当て板４３ａとを備えている。
【００５１】
建材抱持用ブラケット４４Ａは、図２０（Ｆ）に示すように、回転ロッド２５Ａの下端部に連結されて側方へ向けて延長されており、側方に設けられた窪みで形成された抱持部４４Ａ１を備えてＪ字状に形成されている。また、抱持用ブラケット４４Ａの先端には、アーチ状の楔挿入用リング４４Ｂが設けられている。
【００５２】
上記フレーム取付け部材２Ａを介して、妻側フレーム１を枠組み足場Ｔに取付ける場合は、先ず図１７、図２０（Ｂ）に示すように、横架材Ｙに係止片４１を引掛ける。
【００５３】
次いで、図２０（Ｄ）に示すように、フック部４０ｂの湾曲部４０ｃで建材Ｕを抱き込み、また図２０（Ｅ）に示すように当て板４３ａの湾曲面を建材Ｕの外周に当接させ、更に、図２０（Ｆ）に示すように、ブラケット４４Ａの抱持部４４Ａ１で建材Ｕの外周を抱き込む。
【００５４】
次に、楔挿入用リング４４Ｂ内に楔４５を打ち込みこの楔４５とブラケット４４Ａとで建材Ｕを挟持する。
【００５５】
更に、枠材１２ｂ側のガイド１７Ａに形成された孔を介して回転ロッド２５Ａに形成された孔２５Ｂに係止ピン１８Ａを嵌合することで、妻側フレーム１の建材Ｕに対する回転が回り止めされる。
【００５６】
本例では、ガイド１７Ａは図６に示すガイド１７に比べて枠材１２ｂより上方に設けられているため、係止ピン１８Ａの着脱操作を枠材１２ｂに邪魔されずにスムースに行うことができる。ただし、ガイド１７Ａの位置は図示のものに限定されるものではない。
【００５７】
また、上記フレーム取付け部材２Ａの取付け工程は上記の工程順序に限られるものではない。
【００５８】
次に、斜材１０と下側斜材取付け部材１１Ａを図１６、図１８、図２１、図２２に基づいて説明する。
【００５９】
斜材１０は、図１６に示すように、図１０の実施の形態と同じく妻側フレーム１の下部に設けた上側斜材取付け部材２４と枠組み足場Ｔの建材Ｕとの間に着脱自在に取付けられ、荷受けステージＳを下方から支えてその転倒を防止している。
【００６０】
斜材１０は、図２１に示すように、支柱１０Ａと、支柱１０Ａの一端に設けられ互いに対向するポートＢ３を有する一対のプレートＢ１、Ｂ１と各プレートＢ１、Ｂ１のポートＢ３よりも支柱１０Ａ側に架け渡される連結プレートＢ２とを有するブラケットＢと、支柱１０Ａの他端に設けたヒンジ用ブラケットＣから構成され、ブラケットＣに下側斜材取付け部材１１Ａが回転自在に軸支されている。
【００６１】
そして、この斜材１０のブラケットＢを図１１に示す場合と同じく、斜材１０の一端をボルト２４Ｂを介して金具２４Ａに回転自在に結合し、斜材１０の他端を下側斜材取付け部材１１Ａを介して枠組み足場Ｔの建材Ｕに締結するようになっている。
【００６２】
下側斜材取付け部材１１Ａは、図１６、図１８、図２２に示すように、斜材１０の他端にブラケットＣを介して回転自在に軸支される上下方向に長尺の本体板部４６と、本体板部４６の図中上端に取付けられた公知のクランプ４７と、本体板部４６の図中下端に設けられた断面円弧状の当て板４８とを備える。
【００６３】
このように、本例では、クランプ４７で建材Ｕを抱持させ、同時に当て板４８を建材Ｕの外周に当接させているため、斜材１０に作用する力をクランプ４７と当て板４８の二カ所に分散できる。
【００６４】
特に、本例では、当て板４８の当接位置を、図１６、図２２（Ａ）に示すように、枠組み足場Ｔの建材Ｕの横架材Ｙが連結されている部分に対向させるので、荷受けステージＳＡから斜材１０を介して作用する力を建材Ｕだけでなく、横架材Ｙでも受けることができる。
【符号の説明】
【００６５】
１  妻側フレーム
２、２Ａ  フレーム取付け部材
３、４  手摺取付け部材
５  手摺支柱
６  足場板
８  妻側手摺
９  平側手摺
１０  斜材
１１、１１Ａ  下側斜材取付け部材
１２ａ、１２ｂ  枠材
１３  ブラケット
１４  支持ロッド
１７、１７Ａ  ガイド
１８、１８Ａ  係止ピン
２０  筒体
２４  上側斜材取付け部材
２５、２５Ａ  回転ロッド
２６  フック
２８  抱持用ブラケット
３０  パイプ支柱
３１  ガイドロッド
３２  筒体
３３  ストッパ
４０  支持片
４１  係止片
４２  抱持片
４３  中間支持部材
４３ａ  当て板
４４Ａ  建材抱持用ブラケット
４４Ｂ  楔挿入用リング
４５  楔
８５、８６  クランプ
Ｔ  枠組み足場
Ｕ  建材
Ｖ  建枠
Ｊ  ヒンジ
Ｋ  クランプ
【図１】
2019094769.tif 000003
【図２】
2019094769.tif 000004
【図３】
2019094769.tif 000005
【図４】
2019094769.tif 000006
【図５】
2019094769.tif 000007
【図６】
2019094769.tif 000008
【図７】
2019094769.tif 000009
【図８】
2019094769.tif 000010
【図９】
2019094769.tif 000011
【図１０】
2019094769.tif 000012
【図１１】
2019094769.tif 000013
【図１２】
2019094769.tif 000014
【図１３】
2019094769.tif 000015
【図１４】
2019094769.tif 000016
【図１５】
2019094769.tif 000017
【図１６】
2019094769.tif 000018
【図１７】
2019094769.tif 000019
【図１８】
2019094769.tif 000020
【図１９】
2019094769.tif 000021
【図２０】
2019094769.tif 000022
【図２１】
2019094769.tif 000023
【図２２】
2019094769.tif 000024